(57)【要約】      （修正有）【課題】ストロボ内蔵カメラ用のデフューザ装置であつて、撮影体に拡散光として発光を投射することができるデフューザ湾曲板とブラケットからなり、デフューザ湾曲板をブラケットの介在によりカメラに装着可能とし、これらを各樹脂成形品として製作の容易化を図り、ブラケットへのデフューザ湾曲板の装着位置を可調整とする。【解決手段】光を拡散するデフューザ湾曲板２は凸状湾曲外表面に半球状小突起３を散在的に突設する構造を有し、またデフューザ湾曲板はその凹状背面側部にボス４を備え、カメラのアクセサリーシューに着脱自在で二股状アーム６を有するブラケット５を介在し、ブラケットの各アーム先端の突起と、前記デフューザ湾曲板のボス穴４ａとの差込により簡単に結合可能とした。【選択図】図５
0003148388.tif 000002
【実用新案登録請求の範囲】
【請求項１】
カメラ内蔵のストロボから投射されるフラッシュ光を拡散するストロボ内蔵カメラ用のデフューザ装置であつて、当該デフューザ装置は、カメラのアクセサリーシューに着脱自在の合成樹脂製のブラケットと、当該ブラケットを介して支持される合成樹脂製のデフューザ湾曲板とから構成し、一方の前記デフューザ湾曲板はその背面側部に穴付きボスを備え、他方のブラケットはアクセサリーシューに着脱自在のスライド板とこのスライド板を取り付け基端として二股状に延長し片持ち支持される一対のアームを有して各アームの先端に突起を備え、前記デフューザ湾曲板とブラケットとを前記ボスの穴とアーム先端の突起との差込により着脱自在に組立可能としたことを特徴とするストロボ内蔵カメラ用のデフューザ装置。
【請求項２】
請求項１記載のストロボ内蔵カメラ用のデフューザ装置において、前記デフューザ湾曲板は角状湾曲板であって、その角状デフューザ湾曲板の凸状湾曲外表面に半球状小突起を複数散在的に突設すると共に、その凹状内表面には、角状湾曲板の相対向する左右両側部に、前記穴付きボスを複数一列に整列する穴付きボスとして立設した平行な穴付きボス群として備え、前記ブラケットの各アーム先端突起を、前記角状デフューザ湾曲板のボス郡の整列方向に位置調節して取付け自在としたことを特徴とするストロボ内蔵カメラ用のデフューザ装置。
【請求項３】
請求項２記載のストロボ内蔵カメラ用のデフューザ装置において、角状デフューザ湾曲板の外側凸面部に散在的に突設する半球状突起を、中央から波紋をなすように同心円状に配列したことを特徴とするストロボ内蔵カメラ用のデフューザ装置。
【請求項４】
請求項１乃至３のいずれかにおいて、前記ブラケットの差込板は中央にスリットを有し、また差込板に取り付けられる各アームは、その取り付け部基端をＵ字状とするＵ字状アームとして構成され、当該Ｕ字状アームは、そのＵ字状一端基部が差込板に一体に固接されていると共に、Ｕ字状他端片持ち支持される両他端延長部アームは、その幅方向に可撓性を有して取り付けられていることを特徴とするストロボ内蔵カメラ用のデフューザ装置。
【請求項５】
請求項１〜４のいずれかにおいて、差込板に取付けられる一対のアームが、差込板の平面と角度を有して取付けられていることを特徴とするストロボ内蔵カメラ用のデフューザ。
【考案の詳細な説明】
【技術分野】
【０００１】
この考案は、カメラに内蔵されたストロボ内蔵カメラ用のデフューザであって、アクセサリーシューに着脱自在としたデフューザに関する。
【背景技術】
【０００２】
ストロボを内蔵したカメラは広く普及している。しかし、人物像などの被写体を接近して撮影する場合、直近位置で直射すると、照射光が強いため、一般に被写体の陰影を強く対比して撮影することになり、近接撮影時に自然な色合いに撮影できるようにするためには課題を残していた。
【０００３】
また、人物の近接撮影時にフラッシュ光による赤目現象が生じる不都合発生し、この赤目現象が生じないように、光軸とストロボとを所定距離以上離して配置する方法が取られる。しかし、斯かる方法の採用による場合、画面上の配光が部分的に異なり、画面の一部が暗くなるという問題があった。
【０００４】
これらの課題を解決する先行技術として、ストロボ光の減光効果及び写真性を損なうことなく、デザインの異なるものを豊富に揃えることのできる近接撮影用アダプターがある。この例では、減光板は遮光性の樹脂からなる平坦な樹脂板で裏面側から表面側に向けて徐々に径が大きくなる円錐台形状の孔が穿設されるものである（特開平１１−３８４８０号）。しかしこの場合、円錐台形状の孔は３種類の他に複数種類のものを組み合わせることが必要であり、孔加工は孔周縁のバリ生成からその加工処理に時間、経費が掛かるものである。
【０００５】
また、カメラ内蔵フラッシュ発光器用デフューザとして、アクセサリーシューへの挿入自在な取付け脚を有するホルダに可調整固定できる透明アクリル樹脂製の拡散板からなるデフューザであって、拡散板の表面に光屈折用の溝等を設けて所定の光学特性を持たせ、所望の範囲の拡散光を得るものである（特開平７−９２５２７号）。この場合において、溝付の樹脂製拡散板は、その下部に撮影レンズの鏡筒部を挟持するホルダにより支持するものであり、複数の部品を組立て製作され、組立分解上、構造的にも複雑であり、このため拡散板の角度調整も、手間を要するものである。
【０００６】
【特許文献１】特開平１１−３８４８０号
【特許文献２】特開平７−９２５２７号
【考案の開示】
【考案が解決しようとする課題】
【０００７】
本願考案は、デフューザを湾曲状のデフューザ湾曲板とし、このデフューザ湾曲板について、アクセサリーシューへの取付けを２本のアームを備えたブラケットを介して簡単に取り付可能とし、半球状突起を備えた外表面と穴付きボスを備えた内表面を有するデフューザ湾曲板による製造容易な構造を有し、複数のボス孔による場合は拡散光を得ることのできる方向範囲を微調整可能に取り付けることができ、組立部品も２部品の差込による簡単な組立構造を有するものからなるものとし、合成樹脂成形品として簡単に製造可能としたデフューザ装置を提供するものである。
【課題を解決するための手段】
【０００８】
この考案は上記課題を解決するもので、カメラ内蔵のストロボから投射されるフラッシュ光を拡散するストロボ内蔵カメラ用のデフューザ装置であつて、当該デフューザ装置が、カメラのアクセサリーシューに着脱自在の合成樹脂製のブラケットと、当該ブラケットを介して支持される合成樹脂製のデフューザ湾曲板とから構成され、一方の前記デフューザ湾曲板はその背面側部に穴付きボスを備え、他方のブラケットはアクセサリーシューに着脱自在のスライド板とこのスライド板を取り付け基端として二股状に延長し片持ち支持される一対のアームを有して各アームの先端に突起を備え、前記デフューザ湾曲板とブラケットとを前記ボスの穴とアーム先端の突起との差込により着脱自在に組立可能としたストロボ内蔵カメラ用のデフューザ装置を提供する。
【０００９】
この出願の考案は、デフューザ湾曲板が角状湾曲板であって、その角状デフューザ湾曲板の凸状湾曲外表面に半球状小突起を複数散在的に突設すると共に、その凹状内表面には、角状湾曲板の相対向する左右両側部に、前記穴付きボスを複数一列に整列する穴付きボスとして立設した平行な穴付きボス群として備え、前記ブラケットの各アーム先端突起を、前記角状デフューザ湾曲板のボス郡の整列方向に位置調節して取付け自在としたストロボ内蔵カメラ用のデフューザ装置を提供する。
【００１０】
さらにこの出願の考案は、角状デフューザ湾曲板の外側凸面部に散在的に突設する半球状突起を、中央から波紋をなすように同心円状に配列したことを特徴とするストロボ内蔵カメラ用のデフューザ装置を提供する
【００１１】
またこの出願の考案は、ブラケットの差込板が中央にスリットを有し、また差込板に取り付けられる各アームが、その取り付け部基端をＵ字状とするＵ字状アームとして構成され、当該Ｕ字状アームが、そのＵ字状一端基部を差込板に一体に固接されていると共に、Ｕ字状他端片持ち支持される両他端延長部アームを、その幅方向に可撓性を有して取り付けられているストロボ内蔵カメラ用のデフューザ装置を提供する。
【００１２】
この出願の考案は、さらに、差込板に取付けられる一対のアームが、差込板の平面と角度を有して取付けられているストロボ内蔵カメラ用のデフューザ装置を提供する。
【考案の効果】
【００１３】
上記したこの出願の考案によれば、“デフューザ“を湾曲状のデフューザ湾曲板とし、このデフューザ湾曲板は、半球状突起を備えた外表面と穴付きボスを備えた内表面を有するデフューザ湾曲板として構成されるので、アクセサリーシューへの取付けを２本のアームを備えたブラケットを介して簡単に取り付けることができる。また、半球状突起付き外表面と穴付きボス付き内表面を有するデフューザ湾曲板の形状により形状の単純化を図ることができ、成形加工工程を最小限とする成形製品として容易に製造することができる。さらに複数のボス孔による場合は拡散光を得ることのできる方向範囲を微調整可能に取り付けることができ、被写体への配光を効果的に指向させることができる。組立部品もデフューザ湾曲板とブラケットの２部品からなりそれらの差込による組立、取り付けができるので、カメラへの設置を簡単に行うことができる。
【００１４】
本願考案のデフューザ装置をカメラアクセサリーシューに設置して使用する際には、内蔵ストロボから定距離の位置に設定され、デフューザ湾曲板の湾曲性から内蔵ストロボを中心として、ストロボからの発光が発光方向に等距離の等位置で発光が拡散されるため、デフューザ湾曲板を通じて配光ムラのない被写体照明が行なわれる。
【００１５】
この考案のストロボ用デフューザ装置は、カメラアクセサリーシューにおいてブラケットを介して取り付けることができるのでストロボを内蔵したカメラへの簡単な作業で迅速な装着が可能となる。この場合、ストロボからストロボを中心光源として、発光した投光は、デフューザ湾曲板により略等距離の位置において均等にデフューザ湾曲板の凸状外表面に形成された半球状凸起の通過中に拡散されることになり、発光面積が湾曲面をなす広い範囲から相互に干渉しあう散光されることとなるので、配光ムラがなくなり、被写体を人物等とする場合にも、鋭い影が出ない柔らかな光による撮影を得ることができる（図６参照）。
【考案を実施するための最良の形態】
【００１６】
以下、この考案の実施例について説明する。まず、ストロボ用デフューザの機能について説明する。
【００１７】
図１はデフューザ装置１を示し、デフューザ装置１を構成するデフューザ湾曲板２がブラケット５にセットされた状態を示す斜視図であり、図２は、デフューザ湾曲板２とブラケット５を分解した状態を示す斜視図である。
一眼レフカメラＣは、図５に示すように、内蔵ストロボＳを備え、また外付けストロボ等をセットするためのアクセサリーシュー（図示省略）を備えている。“デフューザ”は、本考案の場合、図１に示すように、湾曲板状をなしたデフューザ湾曲板２として成形された組立部品であり、デフューザ湾曲板２の凸面部には半球状突起3が形成されている。また、そのデフューザ湾曲板２の凹面部にボス４を備え、このボス４には受け穴４ａが穿設される。一方、ブラケット５は、図１、図２（ｂ）に示すように一対のアーム６、６とこの一対のアームを片持ち支持的に固定するスライド板７を備えている。ここで、並列する一対のアーム６、６は、Ｕ字状一端基部６１を有しスライド板７への取り付け部となし、またＵ字状他端延長アーム６２はその先端部にストッパ６３、突起６４を有している。したがって、この一対のアーム６、６は、その一端の取り付け部６１においてスライド板７に片持ち支持的に一体に固定される（図２（ｂ）参照）、他端延長アーム６２は先端の突起６４においてストッパ６３の規制を受けて前述のボス4の受け穴４ａに差し込まれる。ここで片持ち支持的に固設される一対のアーム６，６は、並列配置とされ、その幅方向に可撓性が付与される。
【００１８】
なお、上記実施例では、幅方向に可撓性を有し並列状に設置される一対のアーム６、６は、その一端基部６１をＵ字状部材の短軸側の一端を取り付け基部とするものであるが、この一端基部６１は、その取り付け状態で片持ち支持されるアーム６，６が幅方向に可撓性を有し並列状に設置される構造であればよく、Ｌ字状、傾斜状とすることも可能であり、取り付け部の構造はＵ字状部材の形状に限定されるものではない。これによって、ブラケット５のデフューザ湾曲板２との取付けにおいて、ブラケット５の両アーム６，６の突起６４、６４と、デフューザ湾曲板２のボス4の受け穴４ａと寸法誤差に拘らず、両アーム６，６を撓ませて両者の差し込みをスムーズに行うことができ、ブラケット５の両アーム６，６と、デフューザ湾曲板２との容易な取り付けを可能とする。
【００１９】
また、前述のスライド板７は、スライド方向側縁に段部７１が形成され、中央部にスライド方向のスリット７２を有している。ここで、段部７１は、カメラＣのアクセサリーシューに差込自在に装着可能とされるものであり、スリット７２は、アクセサリーシューへの差込時に弾性を持たせた拡張クリップ機能をもたせ、がたつきや抜止めを防止し、取付けを確実するためのものである。
スライド方向側縁に段部７１は、差込最終段階でアクセサリーシューの高さに応じて密に挿入され、簡単に抜け出ることのないように確りと定位置に収め得る構造のものであればよく、この段部７１が、差込方向に傾斜スライドが形成されるようにしてもよい。
【００２０】
次に、デフューザ湾曲板２をその凹面部に受け穴４ａの穿設されたボス４の設置形態について説明する。
ボス４は、長方形等の矩形状のデフューザ湾曲板２の内側凹面部にその長軸両側部に平行に、各複数個整列して立設される。この場合、ボス4の整列方向は、カメラに内蔵したストロボの動作方向と同じ上下方向に複数個、図１他の本考案において図示の例では５個整列して配置するものとして設置される。ボス4は、製作上、湾曲板２と一体に成形した合成樹脂の成形品として得ることができるし、また多連のボス4を別途一体に製作した合成樹脂の成形品として得たり、これを湾曲板２に溶着、接着等により一体化して得ることも可能である。
また、整列して設置されるボス4の数は５個の例を示したが、この数に限定されるものではない。
長方形のデフューザ湾曲板２について述べたが、このデフューザ湾曲板２の形状は長方形に限定されず、ストロボ内蔵カメラへの装着上支障のない範囲であれば長方形以外の形状のものでも差し支えない。
【００２１】
図５は、デフューザ装置１をカメラＣのアクセサリーシュー（図示省略）に装着した状態を示す。この状態で、予め内蔵ストロボを使用する照射位置にセットした場合には、デフューザ装置１は、カメラＣのアクセサリーシューに取付けたブラケット５を介してデフューザ湾曲板２を取り付けることによって組立て、カメラに装着される。内蔵ストロボが収納位置にあるときには、デフューザ湾曲板２をブラケット５に組立てデフューザ装置１とし、組立てられたデフューザ装置１としてのブラケット５のスライド板７をアクセサリーシューに差込んで取り付けることになる。
デフューザ装置１がカメラＣに装着された際、光源となる内蔵ストロボＳの前方所定の位置にこのデフューザ湾曲板２が配置される。図６は、デフューザ１を図５のセット状態で撮影した映像を、デフューザ１なしの映像との比較で対比し示す写真である。本考案のデフューザ装置１をセットしないで、内蔵ストロボの発光による撮影をしたときには、図６（ａ）に示すように、光が硬く被写体の対比が鮮明に現れ、その影も明確になった映像が得られものであったが、本考案のデフューザ装置１をセットしたときには、図６（ｂ）に示すように、光が柔らかく、被写体の映像も柔らかに現れ、被写体の影も和げられた映像を得ることができた。
【００２２】
次に、カメラＣのアクセサリ−シユ−に装着するブラケット５について説明する。
ブラケット５は、図２、図４に示すように、一対のアーム６，６とこの一対のアーム６，６をそれぞれ片持ち支持的に固定するスライド板７を備えている。ここで、並列する一対のアーム６、６は、一方の端部にＵ字状の可撓板の一端部を取り付け部とする一端基部６１を有し、この一端基部６１においてスライド板７に片持ち支持的に固定される。またＵ字状の可撓板の他方の端部は延長アーム６２、６２を有し、この延長アーム６２、６２の先端部にストッパ６３が設けられその先に突起６４が軸方向に突設される。この突起６４は前述のボス4の受け穴４ａに差し込まれ、突起６４が受け穴４ａに差し込まれた際ストッパ６３により突起６４の差込が規制される。また、前述のスライド板７は、スライドする方向の側縁に沿って段部７１が形成され、カメラＣのアクセサリーシューにスライド差込自在に装着される。前述のスライド板７は、その中心線に沿ったスリット７２が形成される。このスリット７２は、ブラケット５のカメラＣのアクセサリーシューＡへのスライド板７のスライド差込時にクリップ機能を発揮しながら押し込まれるので、カメラＣのアクセサリーシューにその幅方向で弾性的に締め付けられ、ブラケット５のカメラＣのアクセサリーシューへの確りした装着が保証される。
【００２３】
一方、デフューザ装置１をカメラＣから取り外し、さらに図２に示すように、デフューザ湾曲板２とブラケット５を個々に分解すれば、携帯に好都合な小型部品とすることができる。
【００２４】
デフューザ湾曲板２の光学特性を持たせる表面形状について以下に説明する。
デフューザ湾曲板２は、透明なアクリル樹脂等から構成されており、凸状表面には光屈折用の半球状突起３を複数設けてある。デフューザ１の表面に複数設けた半球状突起３は、内蔵ストロボからの射光を発散させる特性があり、これにより、内蔵ストロボの発光時に、所望の範囲への拡散光が得られる。デフューザ湾曲板２の凸面部に複数の半球状突起３を形成する場合、好ましくは、図２（ａ）、図３（ｂ）
に示すように、半球状突起３をデフューザ湾曲板２の中心に対して同心状の円をなすように配置して突設される。半球状突起３の配列は、ランダムでも差し支えない。デフューザ湾曲板２は湾曲状に形成されているため、内蔵ストロボの光源から照射方向にほぼ均等に光を発散させることができるので配光ムラが生じないようにすることができ、柔らかい色調の映像として撮影することができる。カラー映像において顕著に表れる。
なお、図１，２に示すようにデフューザ湾曲板２は、長方形状の湾曲板２として示されるが、湾曲状の板であれば、長方形状に限定されるものではない。
【００２５】
上記において、デフューザ湾曲板２の表面に、光屈折用の球面状突起３を設けて所定の光学特性を持たせる場合、球面状突起３を環状で同心円状の配置で設置することができる。
【００２６】
図１、図２（ａ）に示すように、デフューザ湾曲板２は、その背面凹面部の多連ボス４が設置され、その任意の位置のボスを選択してブラケット５の突起６４に差込んで取付けることができる。これにより、ブラッケット５に対して、そのアーム６，６のセット位置から上下方向に何段階かに位置を微調整してデフューザ湾曲板２を取付けることができる。図５は、デフューザ湾曲板２をその中央位置のボス４から一段上げて上位のボス４に取付けた状態を示す。
【００２７】
デフューザ装置１の使用法を説明する。図５において、カメラＣのアクセサリーシューにスライド差込みによりブラケット５のスライド板７が装着セットされる。このブラケット５において、そのアーム６の先端部にデフューザ湾曲板２が装着される。具体的には、デフューザ湾曲板２はその背面の凹状湾曲内表面に設けられた連設ボス4のボス孔４ａに、前記ブラケット５のアーム６先端の突起６４を差し込んで取り付けられる。撮影時において、カメラＣのアクセサリーシューに装着のブラケット５のアーム６を介してデフューザ湾曲板２を取り付けセット状態において、フラッシュセット状態に起立させた内蔵ストロボは、デフューザ湾曲板２の手前で、その湾曲中心近傍に位置して配置される。
デフューザ湾曲板２は、その連設ボス4のボス位置を選択してブラケット５のアーム６先端の突起６４に差し込んで装着することができるので、デフューザ１の装着位置を上下に調節し、撮影対象物への照射方向を僅かに変更して、斑のない配光が可能となる。
【００２８】
この構成においては、照射方向の設定された内蔵ストロボＳに対し、デフューザ湾曲板２を任意の上下方向の調節した位置に設定できるので、内蔵ストロボ１３の発光ランプ１４とデフューザ湾曲板２との光拡散方向を調整し修正することができることになる。デフューザ湾曲板２とブラケット５との装着は、デフューザ湾曲板２のボス孔４ａとアーム６の突起６４による取付け手段を採用しているので、デフューザ湾曲板２とブラケット５との装着取外しが簡単に容易に且つ迅速にできる。また、デフューザ湾曲板２において、その配色を、黄系、青系、ピンク系などをした数種ものを用意しておくことができれば、このことにより、撮影背景の配色に併せて、色分けは交換して使用することも可能となる。
【００２９】
デフューザ湾曲板２を使用しない場合は、先ず内蔵ストロボＳを押込んで収納した後、デフューザ装置１を、ブラケット５とデフューザ湾曲板２ごと、カメラのアクセサリーシューから取り外し、その後、デフューザ湾曲板２のボス4からブラケット５のアーム６の突起６４部分を引き抜き、これによりブラケット５とデフューザ湾曲板２とに分解する。これにより、両部品を小さな２部品となしまとめることができるので、すぐに携帯に便利な収納可能な大きさのものとして持ち運びができる。
【００３０】
デフューザ湾曲板２は、アクリル樹脂等から不透明であるが透光性を有する湾曲板として構成されており、さらにその凸面部表面には光屈折用の半球状突起３を多数突設され、所望の範囲の偏りのない拡散光が得られるように構成される。デフューザ湾曲板２は、内蔵ストロボを略焦点とする湾曲状の板材をなし、デフューザ湾曲板２の凸面部表面に多数突設した光屈折用の半球状突起３を有しているので、これにより、周辺射光領域に光を偏りなく照射できるとともに、配光にムラが生じないようにすることができる。特に、デフューザ湾曲板２の凸状湾曲外表面に半球状突起３を設けるに当って、好ましくは同心円状に左右上方に設けることができる。この場合には、より均一的に乱射光となって照射すれることができるので、フラツシユ発光により得られた光を斑なく、被写体に配光することができる。
【図面の簡単な説明】
【００３１】
【図１】デフューザ湾曲板をブラケットに取付けた状態を示す斜視図である。
【図２】デフューザ湾曲板とブラケットを分解した状態を示す斜視図である。
【図３】デフューザ湾曲板の構造を示す図であり、（ａ）はデフューザ湾曲板をその凹状湾曲内表面において見た背面斜視図であり、（ｂ）はデフューザ湾曲板の凸状湾曲外表面を上から見た正面図である。
【図４】ブラケットの構造を示す図であり、（ａ）はブラケットの平面図であり、（ｂ）はブラケットの背面図である。
【図５】デフューザ装置をカメラに装着した状態を部分的に模式化して示す一部斜視図である。
【図６】デフューザ装置使用前の撮影写真と、使用後の撮影写真の比較であり、（ａ）はデフューザ使用前の写真を示し、（ｂ）はデフューザ使用後の写真を示す。
【符号の説明】
【００３２】
１  デフューザ装置
２  デフューザ湾曲板
３  半球状突起
４  ボス
４ａ  ボス穴
５  ブラケット
６  Ｕ字状アーム
６１  基部
６２  延長アーム
６３  ストッパ
６４  突起
７ スライド板
７１  段部  
７２  スリット
Ｃ  一眼レフカメラ
Ｌ  撮影レンズ
Ｓ  内蔵ストロボ
【図１】
0003148388.tif 000003
【図２】
0003148388.tif 000004
【図３】
0003148388.tif 000005
【図４】
0003148388.tif 000006
【図５】
0003148388.tif 000007
【図６】
0003148388.tif 000008